(57)【要約】【課題】接続方向指示部が容易に認識でき、誤接続が防止でき且つ容易に接続作業が行えるようにする。【解決手段】内部に備えた弁室１の片側に流入通路２が形成され他側に流出通路３が形成された弁ハウジング４の、弁室１の流入通路２側に、弁口５を開口している弁座６を有し、弁室１内には、流入通路２から流出通路３への流体圧を受けたとき弁座６から離れる側に移動して弁口５を開放し、流出通路３から流入通路２への流体圧を受けたとき弁座６方向に移動し弁座６に当接して弁口５を閉鎖する弁体７を備えたバルブにおいて、弁ハウジング４の外周面に、流入通路２側或いは流出通路３側を視覚或いは触覚で認識させる接続方向指示部１０を全周囲に渡って形成した。【選択図】  図１
2004257522.tif 000002
【特許請求の範囲】
【請求項１】
内部に備えた弁室の片側に流入通路が形成され他側に流出通路が形成された弁ハウジングの、前記弁室の流入通路側に、弁口を開口している弁座を有し、弁室内には、前記流入通路から前記流出通路への流体圧を受けたとき前記弁座から離れる側に移動して前記弁口を開放し、前記流出通路から前記流入通路への流体圧を受けたとき前記弁座方向に移動し弁座に当接して弁口を閉鎖する弁体を備えたバルブにおいて、
前記弁ハウジングの外周面に、前記流入通路側或いは流出通路側を視覚或いは触覚で認識させる接続方向指示部が全周囲に渡って形成されていることを特徴とするバルブ。
【請求項２】
前記接続方向指示部は、弁ハウジングの表面に形成された凹凸によって表示されていることを特徴とする請求項１に記載のバルブ。
【発明の詳細な説明】
【０００１】
【発明の属する技術分野】
本発明は、流体を一方向にのみ流すバルブに関するものである。
【０００２】
【従来の技術】
流体の逆流を阻止し、一方向にのみ流す構造のバルブが、逆止弁や真空破壊弁として広く使用されている。これらのバルブは、流入通路側或いは流出通路側が特定されており、各種設備の配管上で、その接続方向を誤ると、大きな事故を引き起こすおそれがあり、その接続にあっては、充分注意して行わなければならない。
【０００３】
かかるバルブの接続を正しく行わせる手段として、バルブの弁ハウジングの適所に、流体の流れ方向、即ち、流入通路側或いは流出通路側を作業者に認識させる接続方向指示部を表示したものがあり、従来、かかる接続方向指示部として、流体の流れ方向を示す文字や矢印、その他のマークが印刷や突起により表示されたものが知られている。
【０００４】
【発明が解決しようとする課題】
しかしながら、前記従来の流入通路側或いは流出通路側を作業者に認識させる接続方向指示部は、バルブの弁ハウジングの円周方向の一部の箇所に表示されていたため、例えば、配管等に接続する作業に際し、接続作業環境などにより接続方向指示部が表示された箇所が死角となって、見えない場合があり、作業者に過度の注意力が求められ、これにより、配管等に接続する作業が面倒なものとなっているといった問題があった。
【０００５】
本発明の目的は、配管等に接続する作業環境などに関係なく、どの位置からも弁ハウジングに表示されている接続方向指示部が容易に認識でき、誤接続が防止でき且つ容易に接続作業が行えるバルブを提供することにある。
本発明の他の目的は、作業環境が暗く、視覚による認識が困難な状況にあっても、接続方向指示部が容易に認識でき、誤接続が防止できるバルブを提供することにある。
【０００６】
【課題を解決するための手段】
上記の目的を達成するために、請求項１に記載の発明は、内部に備えた弁室の片側に流入通路が形成され他側に流出通路が形成された弁ハウジングの、前記弁室の流入通路側に、弁口を開口している弁座を有し、弁室内には、前記流入通路から前記流出通路への流体圧を受けたとき前記弁座から離れる側に移動して前記弁口を開放し、前記流出通路から前記流入通路への流体圧を受けたとき前記弁座方向に移動し弁座に当接して弁口を閉鎖する弁体を備えたバルブにおいて、前記弁ハウジングの外周面に、前記流入通路側或いは流出通路側を視覚或いは触覚で認識させる接続方向指示部が全周囲に渡って形成されていることを特徴とする。
【０００７】
かかる構成から、弁ハウジングの外周面に形成されている接続方向指示部を、弁ハウジングの周方向のどの位置からも、視覚或いは触覚により容易に且つ確実に認識することができ、これにより接続方向が判り、誤接続を防止できるものとなる。
【０００８】
請求項２に記載の発明は、請求項１に記載の、前記接続方向指示部は、弁ハウジングの表面に形成された凹凸によって表示されていることを特徴とする。
【０００９】
かかる構成から、特に、作業環境が暗く、視覚による認識が困難な状況にあっても、触覚により接続方向指示部が容易に且つ確実に認識することができ、これにより接続方向が判り、誤接続を防止できるものとなる。
【００１０】
【発明の実施の形態】
図１、図２は本発明に係るバルブの実施の形態の一例を示したもので、図１は側面図、図２は図１の縦断面図である。
本例のバルブは、内部に備えた弁室１の片側に流入通路２が形成され他側に流出通路３が形成された弁ハウジング４の、前記弁室１の流入通路２側に、弁口５を開口している弁座６を有し、弁室１内には、前記流入通路２から前記流出通路３への流体圧を受けたとき前記弁座６から離れる側に移動して前記弁口５を開放し、前記流出通路３から前記流入通路２への流体圧を受けたとき前記弁座６方向に移動し弁座６に当接して弁口５を閉鎖する弁体７を備えている。
【００１１】
本例では、前記弁ハウジング４は、弁室１部位を構成する筒状弁室材４ａと、流入通路２側を構成するとともに流入側の配管接続部となる筒状流入通路部材４ｂと、流出通路３側を構成するとともに流出側の配管接続部となる筒状流出通路部材４ｃとの、３部材からなり、筒状弁室材４ａの流入通路２側に筒状流入通路部材４ｂを螺着し、流出通路３側に筒状流出通路部材４ｃを螺着して構成されている。
【００１２】
また、前記弁座６は弁室１内に２個配置され、一方の弁座６は、筒状弁室材４ａと筒状流入通路部材４ｂとの間で、また、他方の弁座６は筒状弁室材４ａと筒状流出通路部材４ｃとの間で挟着支持されている。前記２個の弁座６，６には、中程で軸方向に嵌合した２本の軸８ａ，８ｂが渡されて摺動自在に支持されている。また、前記弁体７も２個備えられ、前記軸８ａに一方の弁体が、軸８ｂに他方の弁体７が前記弁座６，６の流出通路３側に位置して固定されている。
【００１３】
そして、前記軸８ａ，８ｂはスプリング９ａ，９ｂによりそれぞれ流入通路２側に付勢されており、流体を流していない状態のとき、スプリング９ａ，９ｂに付勢されて流入通路２側に移動し、前記弁体７，７が弁座６，６に当接して弁座６，６の弁口５，５が閉鎖され、流体が流れると、この流体圧により前記スプリング９ａ，９ｂの弾発力に抗して弁体７，７が軸８ａ，８ｂとともに流出通路３側へ移動し、弁座６，６から離反し弁口５，５が開くようになっている。
【００１４】
前記のような弁構造を内部に備えた前記弁ハウジング４の外周面に、前記流入通路２側或いは流出通路３側を視覚或いは触覚で認識させる接続方向指示部１０が全周囲に渡って形成されている。
【００１５】
前記弁ハウジング４の外周面の全周囲に渡って形成されている接続方向支持部１０は、この接続方向支持部１０が弁ハウジング４の周方向のどの位置からも容易に且つ確実に認識できる限り、弁ハウジング４の外周面の全周囲に渡って必ずしも連続して形成されていなくてもよく、間欠的に形成されていてもよい。
【００１６】
また、接続方向指示部１０を形成する位置は、前記流入通路２側或いは流出通路３側のいずれの側でもよく、また、表示手段にあっては、着色や凹凸或いは外形形状であってもよく、いずれであっても、明確に弁ハウジング４の流入通路２側と流出通路３側が認識できる程度に表示されていることを要する。その表示方法にあっては、例えば、線、多数の点、図形、文字を含む記号、溝、多数の凸、多数の凹、梨地、特異な外形形状、或いはこれらの組合せがある。
【００１７】
このようにすることにより、弁ハウジング４の外周面に形成されている接続方向指示部１０を、弁ハウジング４の周方向のどの位置からも、視覚或いは触覚により容易に且つ確実に認識することができ、これにより接続方向が判り、誤接続を防止できるものとなる。そして、前記接続方向指示部１０の凹凸によって表示されていると、特に、作業環境が暗く、視覚による認識が困難な状況にあっても、触覚により接続方向指示部を容易に且つ確実に認識することができ、これにより接続方向が判り、誤接続を防止できるものとなる。
【００１８】
本例では、接続方向指示部１０として、弁ハウジング４の流入通路２側の外周面の全周囲に渡って周方向に複数の溝１１を形成している。更に、弁ハウジング４の弁室１部分を大径とし、その流入通路２側と流出通路３側の端部を異なる形状とし、流入通路２側を急斜面１２ａに、流出通路３側を緩斜面１２ｂに形成している。
【００１９】
このように構成したので、弁ハウジング４の外周面に形成されている前記複数の溝１１、また流入通路２側を急斜面１２ａと流出通路３側を緩斜面１２ｂからなる接続方向指示部１０を、弁ハウジング４の周方向のどの位置からも、視覚或いは触覚により容易に且つ確実に認識することができ、そして、特に、作業環境が暗く、視覚による認識が困難な状況にあっても、触覚により前記複数の溝１１、また流入通路２側を急斜面１２ａと流出通路３側を緩斜面１２ｂからなる接続方向指示部１０を容易に且つ確実に認識することができる。
【００２０】
また、前記複数の溝１１や流入通路２側を急斜面１２ａと流出通路３側を緩斜面１２ｂからなる接続方向指示部１０は、特別な工程を必要とせず、弁ハウジング４の製造の工程の中で簡単に形成することができるので、コストアップの要因にはならず、また、意匠的効果も優れたものとなる。
【００２１】
【発明の効果】
以上のように本発明に係るバルブによれば、配管等に接続する作業環境などに関係なく、どの位置からも弁ハウジングに表示されている接続方向指示部が容易に認識でき、誤接続が防止でき且つ容易に接続作業を行うことができる。
【図面の簡単な説明】
【図１】本発明に係るバルブの実施の形態の一例を示した側面図である。
【図２】図１の縦断面図である。
【符号の説明】
１  弁室
２  流入通路
３  流出通路
４  弁ハウジング
４ａ  筒状弁室材
４ｂ  筒状流入通路部材
４ｃ  筒状流出通路部材
５  弁口
６  弁座
７  弁体
８ａ，８ｂ  軸
９ａ，９ｂ  スプリング
１０  接続方向指示部
１１  溝
１２ａ  急斜面
１２ｂ  緩斜面
【図１】
2004257522.tif 000003
【図２】
2004257522.tif 000004